Podtech/llm-jp-corpus-v4-ja_patent huggingface dataset:
【手続補正書】
【提出日】平成21年5月14日(2009.5.14)
【手続補正１】
【補正対象書類名】特許請求の範囲
【補正対象項目名】全文
【補正方法】変更
【補正の内容】
【特許請求の範囲】
【請求項１】
ケラチン含有繊維を少なくとも１種の次式：
【化１】
2008546662.tif 000001
［式中、
Ｒ1 は水素原子；一つ又はそれより多くの炭素原子数１ないし５のアルキル基、炭素原子数１ないし５のアルコキシ基、ヒドロキシ基又は−（ＣＯ）−Ｈ基により置換され得る炭素原子数１ないし１２のアルキル基；−（ＣＯ）−炭素原子数１ないし５のアルキル基；フェニル基又はフェニル−炭素原子数１ないし４のアルキル基（式中、フェニル部分は一つ又はそれより多くの炭素原子数１ないし５のアルキル基、炭素原子数１ないし５のアルコキシ基、ハロゲン原子、−ＮＨ2 基、モノ−炭素原子数１ないし５のアルキルアミノ基、ジ−炭素原子数１ないし５のアルキルアミノ基、−ＮＯ2 基、カルボキシ基又はヒドロキシ基により置換され得る。）を表わし、
Ｒ2 は水素原子；又は炭素原子数１ないし５のアルキル基を表わし、
Ｘは炭素原子数１ないし１０のアルキレン基（これは、一つ又はそれより多くの炭素原子数１ないし５のアルキル基、ヒドロキシ基、炭素原子数１ないし５のアルコキシ基、アミノ基、モノ−炭素原子数１ないし５のアルキルアミノ基、ジ−炭素原子数１ないし５のアルキルアミノ基、−ＳＨ基により置換され得るか、及び／又は、一つ又はそれより多くの−Ｏ−基又は−Ｓ−Ｓ−基により中断され得る。）；炭素原子数５ないし１０のシクロアルキレン基；炭素原子数５ないし１２のアリーレン基；炭素原子数５ないし１２のアリーレン−炭素原子数１ないし１０のアルキレン基；ビフェニレン基（これは、一つ又はそれより多くの炭素原子数１ないし５のアルキル基、ヒドロキシ基、炭素原子数１ないし５の
アルコキシ基、アミノ基、モノ−炭素原子数１ないし５のアルキルアミノ基、ジ−炭素原子数１ないし５のアルキルアミノ基、−ＳＨ基により置換され得るか、及び／又は、一つ又はそれより多くの−Ｏ−基、炭素原子数１ないし４のアルキレン基、−ＮＲ3 −基又は−Ｓ−Ｓ−基により中断され得る。）を表わし、
Ｒ3 は水素原子；炭素原子数１ないし１２のアルキル基；炭素原子数２ないし１４のアルケニル基；炭素原子数６ないし１２のアリール基；炭素原子数６ないし１２のアリール−炭素原子数１ないし１２のアルキル基；又は炭素原子数１ないし１２のアルキル−炭素原子数６ないし１２のアリール基を表わし、
Ｙはアニオンを表わし、
Ｚは１，３−チアゾリル基；１，２−チアゾリル基；１，３−ベンゾチアゾリル基；２，３−ベンゾチアゾリル基；イミダゾリル基；１，３，４−チアジアゾリル基；１，３，５−チアジアゾリル基；１，３，４−トリアゾリル基；ピラゾリル基；ベンズイミダゾリル基；ベンゾピラゾリル基；ピリジニル基；キノリニル基；ピリミジニル基；又はイソキサゾリル基を表わし、そして
ｎは数２ないし１００を表わす。］で表わされる染料、それらの塩、異性体、水和物又は他の溶媒和物を用いて処理することを含む、ケラチン含有繊維を染色する方法。
【請求項２】
（ａ）少なくとも１種の請求項１において定義された式（１）で表わされる染料０．００１質量％ないし５質量％、好ましくは０．００５質量％ないし４質量％、
（ｂ）溶剤１質量％ないし４０質量％、好ましくは５質量％ないし３０質量％、及び
（ｃ）助剤０．０１質量％ないし２０質量％
からなる染髪組成物。
【請求項３】
次式：
【化２】
2008546662.tif 000002
［式中、
Ｒ1 は水素原子；一つ又はそれより多くの炭素原子数１ないし５のアルキル基、炭素原子数１ないし５のアルコキシ基、ヒドロキシ基又は−（ＣＯ）−Ｈ基により置換され得る炭素原子数１ないし１２のアルキル基；−（ＣＯ）−炭素原子数１ないし５のアルキル基；フェニル基又はフェニル−炭素原子数１ないし４のアルキル基（式中、フェニル部分は一つ又はそれより多くの炭素原子数１ないし５のアルキル基、炭素原子数１ないし５のアルコキシ基、ハロゲン原子、−ＮＨ2 基、モノ−炭素原子数１ないし５のアルキルアミノ基、ジ−炭素原子数１ないし５のアルキルアミノ基、−ＮＯ2 基、カルボキシ基又はヒド
ロキシ基により置換され得る。）を表わし、
Ｒ2 は水素原子；又は炭素原子数１ないし５のアルキル基を表わし、
Ｘは炭素原子数１ないし１０のアルキレン基（これは、一つ又はそれより多くの炭素原子数１ないし５のアルキル基、ヒドロキシ基、炭素原子数１ないし５のアルコキシ基、アミノ基、モノ−炭素原子数１ないし５のアルキルアミノ基、ジ−炭素原子数１ないし５のアルキルアミノ基、−ＳＨ基により置換され得るか、及び／又は、一つ又はそれより多くの−Ｏ−基又は−Ｓ−Ｓ−基により中断され得る。）；炭素原子数５ないし１０のシクロア
ルキレン基；炭素原子数５ないし１２のアリーレン基；炭素原子数５ないし１２のアリーレン−炭素原子数１ないし１０のアルキレン基；ビフェニレン基（これは、一つ又はそれより多くの炭素原子数１ないし５のアルキル基、ヒドロキシ基、炭素原子数１ないし５のアルコキシ基、アミノ基、モノ−炭素原子数１ないし５のアルキルアミノ基、ジ−炭素原子数１ないし５のアルキルアミノ基、−ＳＨ基により置換され得るか、及び／又は、一つ又はそれより多くの−Ｏ−基、炭素原子数１ないし４のアルキレン基、−ＮＲ3 基、−Ｓ−基又は−Ｓ−Ｓ−基により中断され得る。）を表わし、
Ｒ3 は水素原子；炭素原子数１ないし１２のアルキル基；炭素原子数２ないし１４のアルケニル基；炭素原子数６ないし１２のアリール基；炭素原子数６ないし１２のアリール−炭素原子数１ないし１２のアルキル基；又は炭素原子数１ないし１２のアルキル−炭素原子数６ないし１２のアリール基を表わし、
Ｙはアニオンを表わし、
Ｚは１，３−チアゾリル基；１，２−チアゾリル基；１，３−ベンゾチアゾリル基；２，３−ベンゾチアゾリル基；イミダゾリル基；１，３，４−チアジアゾリル基；１，３，５−チアジアゾリル基；１，３，４−トリアゾリル基；ピラゾリル基；ベンズイミダゾリル基；ベンゾピラゾリル基；ピリジニル基；キノリニル基；ピリミジニル基；又はイソキサゾリル基を表わし、そして
ｎは数２ないし１００を表わす。］で表わされる化合物。
【手続補正書】
【提出日】平成21年6月3日(2009.6.3)
【手続補正１】
【補正対象書類名】特許請求の範囲
【補正対象項目名】全文
【補正方法】変更
【補正の内容】
【特許請求の範囲】
【請求項１】
金属水素化物と、
ｐＨが約１．５未満の液体反応物とを有し、
上記金属水素化物および上記液体反応物の反応が水素を放出することを特徴とする組成物。
【請求項２】
上記金属水素化物は固体形態の水素化ホウ素ナトリウムである請求項１記載の組成物。
【請求項３】
上記液体反応物のｐＨは約１．０未満である請求項１記載の組成物。
【請求項４】
上記液体反応物のｐＨは約０．１５である請求項３記載の組成物。
【請求項５】
上記液体反応物は水、触媒、および酸を有する請求項１記載の組成物。
【請求項６】
上記触媒は塩化コバルトであり、上記酸は硫酸である請求項５記載の組成物。
【請求項７】
上記液体反応物はさらに凍結防止剤を有する請求項５記載の組成物。
【請求項８】
上記金属水素化物の上記液体反応物に対する重量比は約１：１０．０より小さい請求項１記載の組成物。
【請求項９】
上記金属水素化物の上記液体反応物に対する重量比は約１：８．０より小さい請求項８記載の組成物。
【請求項１０】
上記金属水素化物の上記液体反応物に対する重量比は約１：５．０より小さい請求項８記載の組成物。
【請求項１１】
金属水素化物と、
液体反応物とを有し、
上記金属水素化物および上記液体反応物の反応が水素ガスを放出し、かつ、上記金属水素化物の上記液体反応物に対する重量比は約１：１０．０より小さいことを特徴とするガス発生装置。
【請求項１２】
上記金属水素化物の上記液体反応物に対する重量比は約１：８．０より小さい請求項１１記載のガス発生装置。
【請求項１３】
上記金属水素化物の上記液体反応物に対する重量比は約１：５．０より小さい請求項１１記載のガス発生装置。
【請求項１４】
上記液体反応物のｐＨは約１．５未満である請求項１１記載のガス発生装置。
【請求項１５】
上記液体反応物のｐＨは約１．０未満である請求項１４記載のガス発生装置。
【請求項１６】
上記液体反応物のｐＨは約０．１５である請求項１５記載のガス発生装置。
【請求項１７】
上記液体反応物は、水、アルコール、または弱酸を有する請求項１１記載のガス発生装置。
【請求項１８】
上記金属水素化物および上記液体反応物は膜により分離される請求項１１記載のガス発生装置。
【請求項１９】
複数の燃料カプセルをさらに有し、上記燃料カプセルの各々は、膜で分離された、予め定められた量の金属水素化物、および予め定められた量の液体反応物を有する請求項１１記載のガス発生装置。
【請求項２０】
上記膜が、移動するエネルギ貯蔵要素により破られて上記金属水素化物および上記液体反応物が反応して水素ガスを生成できるようになる請求項１９記載のガス発生装置。
【請求項２１】
自動遮断機構をさらに有し、上記遮断機構が上記ガス発生装置の内部圧力に応答して、上記内部圧力が予め定められた閾値圧力を超えたときに上記遮断機構が上記エネルギ貯蔵要素の移動を停止させる請求項２０記載のバス発生装置。
【請求項２２】
上記遮断機構は支持バネにより支持され、上記支持バネが上記遮断機構に働いて上記内部圧力をバランスさせる請求項２１記載のガス発生装置。
【請求項２３】
上記支持バネは上記予め定められた閾値圧力を実現する請求項２２記載のガス発生装置。
【請求項２４】
上記移動するエネルギ貯蔵要素はコイルバネを有する請求項２０記載のガス発生装置。
【請求項２５】
上記コイルバネは上記膜を破るフックを有する請求項２４記載のガス発生装置。
【手続補正書】
【提出日】平成20年11月11日(2008.11.11)
【手続補正１】
【補正対象書類名】特許請求の範囲
【補正対象項目名】請求項３３
【補正方法】変更
【補正の内容】
【請求項３３】
溶媒中に混合した溶質を容器の第一の部分に提供する段階；
容器の第一の部分を、溶質が溶媒に可溶である温度よりも高い温度に維持する段階；
溶媒と溶質との混合の発熱反応から生じる蒸気圧サージが不活性ガス流に吸収されるように、不活性ガスを容器に流す段階；
容器の、不活性ガス流入口に隣接して位置する第二の部分を、溶質の蒸気圧が1トル以下になる温度に維持する段階；
溶媒および溶質を凝固させて化合物を形成する段階
を含む、化合物を製造する方法。
【手続補正２】
【補正対象書類名】特許請求の範囲
【補正対象項目名】請求項３４
【補正方法】変更
【補正の内容】
【請求項３４】
溶媒中に混合した溶質を容器の第一の部分に提供する段階が、第一の固体材料および第二の固体材料を容器の第一の部分に提供する段階、ならびに第一および第二の材料を化合物の液相線温度を下回る温度で溶融させる段階を含む、請求項33記載の方法。
【手続補正３】
【補正対象書類名】特許請求の範囲
【補正対象項目名】請求項３５
【補正方法】変更
【補正の内容】
【請求項３５】
溶媒中に混合した溶質を容器の第一の部分に提供する段階が、
第一の固体材料を容器の第一の部分に提供する段階、および第一の材料を溶融させて溶媒を形成する段階；
第二の固体材料を第二の容器に提供する段階、第二の材料を溶融させて溶質を形成する段階、および制御された量の液体溶質を溶媒に加え、一方で、溶媒を化合物の液相線温度を下回る温度に維持する段階を含む、
請求項33記載の方法。
【手続補正書】
【提出日】平成21年5月12日(2009.5.12)
【手続補正１】
【補正対象書類名】特許請求の範囲
【補正対象項目名】全文
【補正方法】変更
【補正の内容】
【特許請求の範囲】
【請求項１】
複数のメッセージを、時間制限メッセージおよび非時間制限メッセージの１つとして分類するステップと、
前記時間制限メッセージを、前記非時間制限メッセージとは別に処理するステップであって、前記処理は、
サーバマシン上に存在するデータ構造に時間制限メッセージに関連づけられた複数のメッセージ本文を蓄積することと、
きっかけとなる事象の発生によって、前記蓄積された複数のメッセージ本文を第一の格納構造に格納された一つまたは複数の共通格納エンティティにまとめて書き込むことであって、データ構造は、前記第一の格納構造から分離されていることと、
前記メッセージ本文に関するメタデータをまとめることと、
前記第一の格納構造とは別の第二の格納構造に前記メタデータを格納することとを含むステップと、
前記メタデータの処理とは別に前記メッセージ本文の処理を最適化するステップであって、前記メッセージ本文の処理を最適化するステップは、複数のメッセージ本文を削除するタイミングを示す共通の保存期間パラメータの対象である共通格納エンティティ内の複数のメッセージ本文を蓄積することを含むステップを備えることを特徴とする方法。
【請求項２】
前記共通格納エンティティは、ログファイルであって、前記ログファイルは、前記複数のメッセージ本文を格納することを特徴とする請求項１に記載の方法。
【請求項３】
前記蓄積された複数のメッセージ本文をまとめて書き込むステップは、前記データ構造のサイズが目標とするサイズに達するときに前記蓄積された複数のメッセージ本文を前記一つまたは複数の共通格納エンティティにまとめて書き込むステップを含むことを特徴とする請求項２に記載の方法。
【請求項４】
前記メタデータをまとめるステップは、前記メタデータの少なくとも一部分に対応する時間制限メッセージが格納されるログファイルを含む格納マシンを判定するステップを含むことを特徴とする請求項２に記載の方法。
【請求項５】
前記メタデータの処理とは別に前記メッセージ本文の処理を最適化するステップは、前記メッセージ本文および前記メタデータに適用可能な別個の削除アルゴリズムを定義するステップを含むことを特徴とする請求項１に記載の方法。
【請求項６】
前記メッセージを分類するステップは、前記メッセージの少なくとも一部を、事前定義された保存ポリシーの対象であるｅメールとして分類するステップを含むことを特徴とする請求項１に記載の方法。
【請求項７】
前記時間制限メッセージに適用可能な前記共通の保存期間パラメータの満了に応答して、前記時間制限メッセージを削除するステップをさらに備えることを特徴とする請求項１に記載の方法。
【請求項８】
複数のメッセージを、時間制限メッセージおよび非時間制限メッセージの１つとして分類する手段と、
前記時間制限メッセージを、前記非時間制限メッセージとは別に処理する手段であって、前記処理する手段は、
格納構造中の前記時間制限メッセージに関連付けられた複数のメッセージ本文を格納する手段と、
前記格納された複数のメッセージ本文を一つまたは複数の共通格納エンティティにまとめて書き込む手段と、
前記メッセージ本文に関するメタデータをまとめる手段と、
前記格納構造とはさらに別の格納構造に前記メタデータを格納する手段とを含む手段と、
前記メタデータの処理とは別に前記メッセージ本文の処理を最適化する手段であって、前記メッセージ本文の処理を最適化する手段は、複数のメッセージ本文を削除するタイミングを示す共通の保存期間パラメータの対象である前記共通格納エンティティ内の前記複数のメッセージ本文を蓄積する手段を備えることを特徴とする装置。
【請求項９】
前記共通格納エンティティは、前記複数のメッセージ本文を格納するログファイルであることを特徴とする請求項８に記載の装置。
【請求項１０】
前記格納された複数のメッセージ本文を一つまたは複数の共通格納エンティティにまとめて書き込む手段は、きっかけとなる事象の発生によって前記格納された複数のメッセージ本文をディスクドライブにまとめて書き込む手段を備えることを特徴とする請求項９に記載の装置。
【請求項１１】
前記メッセージ本文に関する前記メタデータを再構築するために前記複数のメッセージ本文を読み出す手段をさらに備えることを特徴とする請求項８に記載の装置。
【請求項１２】
前記メッセージを分類する手段は、前記メッセージの少なくとも一部を、事前定義された保存ポリシーの対象であるｅメールとして分類する手段を備えることを特徴とする請求項８に記載の装置。
【請求項１３】
実行されると、コンピューティングデバイスに、
複数のメッセージを、時間制限メッセージおよび非時間制限メッセージの１つとして分類することと、
前記時間制限メッセージを前記非時間制限メッセージとは別に処理することであって、前記処理は、第一の格納構造内の前記時間制限メッセージに関連付けられた複数のメッセージ本文を蓄積し、前記蓄積された複数のメッセージ本文を一つまたは複数の共通格納エンティティにまとめて書き込み、前記メッセージ本文に関するメタデータをまとめて、前記格納構造とは別の第二の格納構造内に前記メタデータを格納することを含む処理と、
前記メタデータの処理とは別に前記メッセージ本文の処理を最適化することであって、前記メッセージ本文の処理を最適化することは、前記複数のメッセージ本文を削除するタイミングを示す共通の保存期間パラメータの対象である共通格納エンティティ内の前記複数のメッセージ本文を蓄積することを含むことを指令するコンピュータ実行可能命令を備えることを特徴とする１つまたは複数のコンピュータ可読媒体。
【請求項１４】
前記共通格納エンティティは、前記複数のメッセージ本文を格納するログファイルであることを特徴とする請求項１３に記載の１つまたは複数のコンピュータ可読媒体。
【請求項１５】
前記メッセージ本文および前記メタデータに適用可能な別個の削除アルゴリズムを定義し、
前記メタデータの削除とは別に前記メッセージ本文を削除する命令をさらに備えることを特徴とする請求項１３に記載の１つまたは複数のコンピュータ可読媒体。
【手続補正書】
【提出日】平成21年5月22日(2009.5.22)
【手続補正１】
【補正対象書類名】特許請求の範囲
【補正対象項目名】全文
【補正方法】変更
【補正の内容】
【特許請求の範囲】
【請求項１】
ユーザーが制御できる要素の位置に対応する光源の色温度を制御するための信号を発生するユーザーインターフェースデバイスと、
前記ユーザーが制御できる要素の最小位置および最大位置に対応する少なくとも２つのインジケータを含む、前記ユーザーが制御できる要素に対応するラベルとを備え、
前記少なくとも２つのインジケータは、気象の記号を含むことを特徴とする照明制御装置。
【請求項２】
前記気象の記号は、太陽の記号と、雲の記号とを含む請求項１記載の照明制御装置。
【請求項３】
前記ユーザーインターフェースデバイスは、レオスタットを含む請求項１記載の照明制御装置。
【請求項４】
前記ユーザーが制御できる要素は、最小位置と最大位置との間で回転するノブを含む請求項１記載の照明制御装置。
【請求項５】
前記ユーザーが制御できる要素は、最小位置と最大位置との間で移動するスライドバーを含む請求項１記載の照明制御装置。
【請求項６】
前記ユーザーインターフェースデバイスは、ディスプレイスクリーンを備え、
前記ユーザーが制御できる要素は、前記ディスプレイスクリーンの上の制御可能なオブジェクトを含む請求項１記載の照明制御装置。
【請求項７】
ディスプレイスクリーンと、
前記ディスプレイスクリーンの上の１つ以上のユーザーが制御可能なアイコンと、
前記ディスプレイスクリーン上の前記１つ以上のユーザーが制御可能なアイコンの位置によって決まる光源の色温度を制御するための信号を発生するユーザーインターフェースとを備え、
前記１つ以上のユーザーが制御可能なアイコンは、気象の記号を含むことを特徴とする照明制御装置。
【請求項８】
前記気象の記号は、雲の記号および太陽の記号のうちの少なくとも１つを含む、請求項７記載の照明制御装置。
【請求項９】
種々の色温度での照明を行うライトと、
ユーザーが制御できる要素の位置に対応する制御信号を前記ライトに提供するユーザーインターフェースデバイスと、
前記ユーザーが制御できる要素の最小位置および最大位置に対応する少なくとも２つのインジケータを含む、ユーザーが制御できる要素に対応するラベルとを備え、
前記少なくとも２つのインジケータは太陽の記号および雲の記号を含み、
前記ユーザーが制御できる要素は、前記太陽の記号に対応するように調節されると、前記信号は最高の色温度を発生するよう、前記ライトを制御するようになっており、
前記ユーザーが制御できる要素は、前記雲の記号に対応するように調節されると、前記信号は最低の色温度を発生するよう、前記ライトを制御するようになっていることを特徴とする照明システム。
【請求項１０】
前記ユーザーインターフェースデバイスは、レオスタットを含む、請求項９記載の照明システム。
【請求項１１】
前記ユーザーが制御できる要素は、最小位置と最大位置との間で回転するノブを含む、請求項９記載の照明システム。
【請求項１２】
前記ユーザーが制御できる要素は、最小位置と最大位置との間で移動するスライドバーを含む、請求項９記載の照明システム。
【請求項１３】
前記ユーザーインターフェースデバイスは、ディスプレイスクリーンを備え、
前記ユーザーが制御できる要素は、前記ディスプレイスクリーンの上の制御可能なオブジェクトを含む請求項９記載の照明システム。
【手続補正書】
【提出日】平成21年6月1日(2009.6.1)
【手続補正１】
【補正対象書類名】特許請求の範囲
【補正対象項目名】全文
【補正方法】変更
【補正の内容】
【特許請求の範囲】
【請求項１】
メディア信号xにウォーターマークを埋め込む方法において、
暗号化が第１の暗号化鍵k1を使用して実行される、前記メディア信号xの少なくとも部分的に暗号化されたメディア信号cxを提供するステップと、
暗号化が第２の暗号化鍵k2を使用して実行される、少なくとも部分的に暗号化されたウォーターマーク信号cwを提供するステップと、
暗号化された結合メディア信号cyを得るように結合器において前記少なくとも部分的に暗号化されたメディア信号cx及び前記少なくとも部分的に暗号化されたウォーターマーク信号cwを結合するステップと、
第３の復号鍵k3を使用して前記暗号化された結合メディア信号cyを復号することにより復号されたウォーターマーク入りメディア信号yを得るステップと、
を有する方法。
【請求項２】
前記結合器が乗算器である、請求項１に記載の方法。
【請求項３】
前記少なくとも部分的に暗号化されたウォーターマーク信号cwに含まれる第１のウォーターマーク及び前記復号されたウォーターマーク入りメディア信号yの第２のウォーターマークの両方が同一である、請求項１に記載の方法。
【請求項４】
前記第３の復号鍵k3が、前記第１の暗号化鍵k1とは異なり、前記少なくとも部分的に暗号化されたメディア信号cxを復号しない、請求項１に記載の方法。
【請求項５】
前記第３の復号鍵k3が、前記第２の暗号化鍵k2とは異なり、前記少なくとも部分的に暗号化されたウォーターマーク信号cwを復号しない、請求項１に記載の方法。
【請求項６】
前記第３の復号鍵k3が、前記第１の暗号化鍵k1及び前記第２の暗号化鍵k2とは異なる、請求項１に記載の方法。
【請求項７】
前記少なくとも部分的に暗号化されたメディア信号cxが、
cx = (1+K)xrk1 mod K2 又は cx = (1+K)xrN.k1 mod K2
の関係によって暗号化され、ここでN、K及びrが正の整数であり、k1 = K-k2が前記第１の暗号化鍵である、請求項１又は２に記載の方法。
【請求項８】
前記少なくとも部分的に暗号化されたウォーターマーク信号cwが、
cw = (1+K)wrk2 mod K2 又は cw = (1+K)wrN.k2 mod K2
の関係によって暗号化され、ここでN、K及びrが正の整数であり、k2 = K-k1が前記第２の暗号化鍵である、請求項１、２又は７に記載の方法。
【請求項９】
前記復号されたウォーターマーク入りメディア信号yを得るステップが、
y = ((cyN-1) mod k32)/Nk3 mod k3 又は y = ((cy-1) mod k32)/k3 mod k3
を計算し、ここでcy = cxcwであり、Nが正の整数であり、k3 = k1+k2が前記第３の復号鍵である、請求項１、２、７又は８に記載の方法。
【請求項１０】
前記少なくとも部分的に暗号化されたメディア信号cxが、
cx = grk1gx
の関係によって暗号化され、ここでg及びrが正の整数であり、k1が前記第１の暗号化鍵である、請求項１又は２に記載の方法。
【請求項１１】
前記少なくとも部分的に暗号化されたウォーターマーク信号cwが、cw = grk2gwの関係によって暗号化され、ここでg及びrが正の整数であり、k2が前記第２の暗号化鍵である、請求項１又は２に記載の方法。
【請求項１２】
前記復号されたウォーターマーク入りメディア信号yを得るステップが、
gx+w = cy/grk3を計算するステップであって、cy = cxcwであり、rが正の整数であり、k3 = k1+k2が前記第３の復号鍵である、当該計算するステップと、
前記復号されたウォーターマーク入りメディア信号yを得るためにルックアップテーブルを使用して離散的な指数関数gx+wを解くステップと、
を有する、請求項１０又は１１に記載の方法。
【請求項１３】
前記方法がデバイスにおいて実行され、前記デバイスが、信用されていない環境を持つ信用されていないデバイスであり、及び／又は前記メディア信号xの少なくとも部分的に暗号化されたメディア信号cxを提供するステップが、前記デバイスにおいて前記メディア信号xの前記少なくとも部分的に暗号化されたメディア信号cxを受信するステップを有し、前記少なくとも部分的に暗号化されたウォーターマーク信号cwを提供するステップが、前記デバイスにおいて前記少なくとも部分的に暗号化されたウォーターマーク信号cwを受信するステップを有する、請求項１に記載の方法。
【請求項１４】
独立した瞬間において及び独立したチャネルを介して前記少なくとも部分的に暗号化されたメディア信号cx及び前記少なくとも部分的に暗号化されたウォーターマーク信号cwを独立して提供するステップを有する、請求項１ないし１３のいずれか一項に記載の方法。
【請求項１５】
前記方法が、ソフトウェア又はプログラム要素において実行され、前記ソフトウェア又はプログラム要素が、信用されていない環境で実行される、請求項１ないし１４のいずれか一項に記載の方法。
【請求項１６】
メディア信号xにウォーターマークを埋め込むシステムにおいて、
暗号化が第１の暗号化鍵k1を使用して実行される、前記メディア信号xの少なくとも部分的に暗号化されたメディア信号cxを提供する手段と、
暗号化が第２の暗号化鍵k2を使用して実行される、少なくとも部分的に暗号化されたウォーターマーク信号cwを提供する手段と、
暗号化された結合メディア信号cyを得るように結合器において前記少なくとも部分的に暗号化されたメディア信号cx及び前記少なくとも部分的に暗号化されたウォーターマーク信号cwを結合する手段と、
第３の復号鍵k3を使用して前記暗号化された結合メディア信号cyを復号することにより復号されたウォーターマーク入りメディア信号yを得る手段と、
を有するシステム。
【請求項１７】
コンピュータにより処理する、メディア信号xにウォーターマークを埋め込むコンピュータプログラムを包含するコンピュータ読み取り可能媒体において、前記コンピュータプログラムが、
暗号化が第１の暗号化鍵k1を使用して実行される、前記メディア信号xの少なくとも部分的に暗号化されたメディア信号cxを提供する第１のコードセグメントと、
暗号化が第２の暗号化鍵k2を使用して実行される、少なくとも部分的に暗号化されたウォーターマーク信号cwを提供する第２のコードセグメントと、
暗号化された結合メディア信号cyを得るように結合器において前記少なくとも部分的に暗号化されたメディア信号cx及び前記少なくとも部分的に暗号化されたウォーターマーク信号cwを結合する第３のコードセグメントと、
第３の復号鍵k3を使用して前記暗号化された結合メディア信号cyを復号することにより復号されたウォーターマーク入りメディア信号yを得る第４のコードセグメントと、
を有する、コンピュータ読み取り可能媒体。
【請求項１８】
電子音楽配信（ＥＭＤ）システムにおける請求項１ないし１５のいずれか一項に記載の方法の使用。
【手続補正書】
【提出日】平成21年5月18日(2009.5.18)
【手続補正１】
【補正対象書類名】特許請求の範囲
【補正対象項目名】全文
【補正方法】変更
【補正の内容】
【特許請求の範囲】
【請求項１】
（ａ）少なくとも１つのポリベンゾオキサゾール前駆体ポリマー；
（ｂ）構造VI：
Ｖ1−Ｙ−Ｖ2                VI
［ここで、ＹはＳ、Ｏ、ＮＲ2、(ＨＯＣＨ)p、及び
【化１】
2008546027.tif 000001
から成るグループから選択され；Ｒ1は、それぞれ独立に、Ｈ、アルキル基、アルケニル
基、アルキニル基、アルコキシ基及びハロゲンから成るグループから選択され、Ｒ2は、
それぞれ独立にＨ、ＳＨ、ＣＨ3、Ｃ2Ｈ5、及びチオール基を含有する直鎖状又は分枝鎖
状Ｃ1−Ｃ4アルキル基から成るグループから選択され；そしてＶ1及びＶ2は、
【化２】
2008546027.tif 000002
（ここで、ｍは独立に０から４までの整数であり、但し、Ｙが
【化３】
2008546027.tif 000003
の場合はｍ＝０のみであり；ｎは１から５までの整数であり；ｐは１から４までの整数である）
から成るグループから独立に選択される］
を有する少なくとも１つの化合物；及び
（ｃ）少なくとも１つの有機溶媒；
を含む感光性樹脂組成物であって、該組成物中に存在する構造ＶＩの化合物の量は、感光性組成物が基板上に塗布され、塗布された基板が引き続き基板上に画像を形成するように処理された場合、残留物の形成を阻害するのに十分な量であり、但し、上記ポリベンゾオキサゾール前駆体ポリマーが、ポリマー中に光活性部分を含まないポリベンゾオキサゾール前駆体ポリマーのみから成る場合は、
（ｄ）少なくとも１つの光活性化合物も、又、上記組成物中に存在する；
感光性樹脂組成物。
【請求項２】
ポジ型感光性樹脂組成物を含む請求項１に記載の感光性組成物であって、ポリベンゾオキサゾール前駆体ポリマーが、構造Ｉ、II、III、III*、IV又はIV*、及びＶ：
【化４】
2008546027.tif 000004
［ここで、Ａｒ1は、４価の芳香族基、４価の複素環基、及びそれらの混合体からなるグ
ループから選択され；Ａｒ2は、２価の芳香族基、２価の複素環基、２価の脂環式基、及
びシリコンを含有してもよい２価の脂肪族基からなるグループから選択され；Ａｒ3は、
２価の芳香族基、２価の脂肪族基、２価の複素環基、及びそれらの混合体からなるグループから選択され；Ａｒ4は、Ａｒ1（ＯＨ）2及びＡｒ2から成るグループから選択され、ｘ
は約１０から約１,０００であり；ｙは０から約９００であり；Ｄは、以下の部分：
【化５】
2008546027.tif 000005
（ここで、Ｒは、水素、ハロゲン、Ｃ1−Ｃ4アルキル基、Ｃ1−Ｃ4アルコキシ基、シクロペンチル及びシクロヘキシルから成るグループから選択される；ｋ1は、約０.５までのいずれかの正の値であり、ｋ2は、約１.５から約２までのいずれかの正の値であり、但し、（ｋ1＋ｋ2）＝２であり、Ｇは、カルボニル、カルボニルオキシ又はスルホニル基を有する１価の有機基であり；Ｇ*は、少なくとも１つのカルボニル又はスルホニル基を有する
２価の有機基であり；Ａｒ7は、少なくとも２個の炭素原子を有する２価から８価までの
有機基を表し；Ａｒ8は、少なくとも２個の炭素原子を有する２価から６価までの有機基
を表し；そしてＲ4は、水素及び１個から１０個の炭素を有する有機基から成るグループ
から選択され；ｍ1及びｍ3は０から４までの範囲の整数であるが、但し、ｍ1及びｍ3は同時に０ではあり得ず、そしてｍ2は、０から２までの範囲の整数である）
の１つから成る基から選択される］
から成るグループから選択される構造を有する、少なくとも１つのポリベンゾオキサゾール前駆体ポリマーを含む上記感光性組成物。
【請求項３】
構造VIを有する化合物が、以下の化合物：
【化６】
2008546027.tif 000006
から成るグループから選択される、請求項２に記載のポジ型感光性樹脂組成物。
【請求項４】
構造VIの成分が以下の化合物：
【化７】
2008546027.tif 000007
から成るグループから選択される、請求項２に記載のポジ型フォトレジスト組成物。
【請求項５】
接着促進剤を更に含む、請求項１に記載のポジ型感光性組成物。
【請求項６】
接着促進剤を更に含む、請求項２に記載のポジ型感光性組成物。
【請求項７】
接着促進剤が構造XIV：
【化８】
2008546027.tif 000008
［ここで、Ｒ14は、それぞれ独立に、Ｃ1−Ｃ4アルキル基及びＣ5−Ｃ7シクロアルキル基からなるグループから選択され；Ｒ15は、それぞれ独立に、Ｃ1−Ｃ4アルキル基、Ｃ1−Ｃ4アルコキシ基、Ｃ5−Ｃ7シクロアルキル基及びＣ5−Ｃ7シクロアルコキシ基からなるグループから選択され；ｄは、０から３までの整数であり；そしてｑは、１から約６までの整数であり；Ｒ16は、以下の部分：
【化９】
2008546027.tif 000009
（ここで、Ｒ17及びＲ18は、それぞれ独立に、Ｃ1−Ｃ4アルキル基及びＣ5−Ｃ7シクロアルキル基から成るグループから選択され；そしてＲ19は、Ｃ1−Ｃ4アルキル基又はＣ5−
Ｃ7シクロアルキル基から成るグループから選択される）
の１つから成る基から選択される］
の化合物である、請求項６に記載のポジ型感光性組成物。
【請求項８】
接着促進剤が、以下の化合物：
【化１０】
2008546027.tif 000010
から成るグループから選択される、請求項７に記載のポジ型感光性組成物。
【請求項９】
ポジ型感光性組成物を用いてレリーフパターンを形成する方法であって、
（ａ）基板上に、請求項１〜８のいずれか１項に記載のポジ型感光性組成物を塗布し；
（ｂ）塗布基板を予備焼成し；
（ｃ）予備焼成した塗布基板を化学線で露光し；
（ｄ）露光した塗布基板を水性の現像液で現像し、それによって塗布基板上に未硬化のレリーフ画像を形成し；そして
（ｅ）現像した塗布基板を高温で焼成し、それによってレリーフ画像を硬化する；
工程を含む方法。
【請求項１０】
工程（ａ）に先立って、基板が接着促進剤を含有する溶媒でプリコートされる、請求項９に記載の方法。
【請求項１１】
請求項９又は１０に記載の方法により形成される、基板上のレリーフ画像。
【手続補正２】
【補正対象書類名】明細書
【補正対象項目名】００４３
【補正方法】変更
【補正の内容】
【００４３】
構造ＶＩを有する化合物の例としては、以下の化合物：
【化２７】
2008546027.tif 000011
が挙げられるが、これらに限定されない。
【手続補正書】
【提出日】平成21年5月29日(2009.5.29)
【手続補正１】
【補正対象書類名】特許請求の範囲
【補正対象項目名】請求項１３
【補正方法】変更
【補正の内容】
【請求項１３】
少なくとも１の結合ミラーがエピタクシーであることを特徴とする請求項１乃至１２の何れか一項記載のパラメトリック変換システム。
【手続補正書】
【提出日】平成21年9月18日(2009.9.18)
【手続補正１】
【補正対象書類名】特許請求の範囲
【補正対象項目名】全文
【補正方法】変更
【補正の内容】
【特許請求の範囲】
【請求項１】
ネットワークに接続された確認機能を有する第１サーバノードと、
第1サーバノードで決定されるセグメントで利用可能なコンプリートファイルのリポジトリを有する第２サーバノードであって、ネットワークに接続された第２サーバノードと、
ネットワークに接続されたファイルのローカルリポジトリを有する一組のクライアントノードであって、ネットワークを介してピアツーピア基準上のコンプリートファイルのセグメントをシェアするように構成されたクライアントノードと、を含み、
前記セグメントは第１サーバノードで決定され、
前記クライアントは、ビデオとしてコンプリートファイルをユーザに送信し、かつ、レンダリングの際にコンプリートファイルの全セグメントなしでコンプリートファイルを送信し、別のクライアントからコンプリートファイルのセグメントを要求および受信し、コンプリートファイルのユーザ要求に応答するコンプリートファイルのセグメントの要求を発信し、レンダリングのためのコンプリートファイルの十分なセグメントの存在に基づいてユーザによって要求されるコンプリートファイルを送信するように構成されることを特徴とするシステム。
【請求項２】
一組のクライアントノードのうちの一つのクライアントノードは、そのクライアントノードが一組のクライアントノードのうちの他のクライアントノードから有効に取り出されていないセグメントを決定するときに、第２サーバノードのみからセグメントを要求する請求項１に記載のシステム。
【請求項３】
コンプリートファイルは、デジタルムービーのデータをエンコードする請求項２に記載のシステム。
【請求項４】
コンプリートファイルのユーザ要求に応答するコンプリートメディアファイルのセグメントの要求を発信し、
ピアツーピア接続を介して第１クライアントからメディアファイルのセグメントを要求すること、
要求において確認されたジョブチケットを提供すること、
第１確認ジョブチケットが正しいまま残っている限り、ピアツーピア接続を介して第１クライアントからメディアファイルの、第１確認ジョブチケットを提供するサーバによって決定されるセグメントを受信すること、
レンダリングの際にコンプリートメディアファイルの全セグメントなしで、コンプリートメディアファイルをユーザにビデオとして送信すること、
および、
レンダリングのためにコンプリートメディアファイルの十分なセグメントの存在に基づいてユーザによって要求されるコンプリートメディアファイルの送信を発信すること
を含む方法。
【請求項５】
ピアツーピア接続を介して第２確認ジョブチケットを備えた第２クライアントからのムービーファイルのセグメントの要求を受信すること、
サーバ上で、第２確認ジョブチケットの真偽を確認することによって、ムービーファイルのセグメントの要求に応答すること、
ピアツーピア接続を介して第２クライアントにセグメントを伝送することによって、ムービーファイルのセグメントの要求に応答すること
をさらに含む請求項４に記載の方法。
【請求項６】
ピアツーピア接続のための第３クライアントであって、ファイアウォールを介してネットワークに接続された第３クライアントから特定の要求を受信すること、
第３クライアントからの特定の要求に応答し、ピアツーピア接続を確立すること、
第３クライアントでセグメントを交換すること
をさらに含む請求項４に記載の方法。
【請求項７】
ムービーファイルのセグメントを復号化すること、
ローカルリポジトリのローカルファイルにおける復号化されたムービーファイルのセグメントを保存すること、
ユーザへのディスプレイのために復号化されたローカルファイルのセグメントをレンダリングすること
をさらに含む請求項４に記載の方法。
【請求項８】
データファイル供給の要求を受信すること、
ネットワーク接続性に基づくデータファイルを受信するグリッドネットワークのクライアントを選択すること、
データファイル供給の要求に応じて、選択されたグリッドネットワークのクライアントにデータファイルのセグメントを送信すること、
を含む方法であって、
グリッドネットワークの選択されたクライアントの第１クライアントは、ピアツーピア接続を介して、グリッドネットワークの第２クライアントに、データファイルのセグメントを送信し、
前記データファイルのセグメントは、サーバにより決定され、前記セグメントは第２クライアントからの要求に応答して送信され、前記要求は、サーバに関して独立して第２クライアントによって準備され、データファイル供給の要求を受信する前記サーバは、グリッドネットワークのクライアントを選択し、かつ、選択されたクライアントにデータファイルのセグメントを送信する
ことを特徴とする方法。
【請求項９】
グリッドネットワークのクライアントからの最新状況を受信すること、
グリッドネットワークのクライアントに、グリッドネットワークのほかのクライアントと通信するように指示すること、
クライアントの要求に応じて、グリッドネットワークのクライアントにジョブチケットを提供すること、
グリッドネットワークのクライアントに提供されたジョブチケット情報の真偽を確認すること、
グリッドネットワークのクライアントリストにファイルのセグメントを供給すること、
グリッドネットワークのクライアントに関するステータス情報を整備すること、
グリッドネットワークの機能に関する統計情報を整備すること
をさらに含む請求項８に記載の方法。
【請求項１０】
シードサーバはデータファイルのセグメントを送信し、スーパーノードはグリッドネットワークのクライアントを選択し、
さらに、グリッドネットワークのクライアント間でデータファイルのセグメントを交換すること
を含む請求項８に記載の方法。
【請求項１１】
選択されたクライアントとシードサーバとは、同じ基幹サービスプロバイダネットワークに集合的に全て接続されることを特徴とする請求項８に記載の方法。
【請求項１２】
第１シードサーバと第２シードサーバとは、集合的に、ファイルデータのセグメントを送信し、
選択されたクライアントは、第１クライアント群と第２クライアント群とを有し、
第１シードサーバと第１クライアント群とは、同じ第１基幹サービスプロバイダネットワークに集合的に全て接続され、
第２シードサーバと第２クライアント群とは、同じ第２基幹サービスプロバイダネットワークに集合的に全て接続され、
第１シードサーバは、セグメントを第１クライアント群に送信し、第２シードサーバは、セグメントを第２クライアント群に送信すること特徴とする請求項８に記載の方法。
【手続補正書】
【提出日】平成21年5月19日(2009.5.19)
【手続補正１】
【補正対象書類名】特許請求の範囲
【補正対象項目名】全文
【補正方法】変更
【補正の内容】
【特許請求の範囲】
【請求項１】
複数のスマートカードインストルメントチャンネルを有するスマートカードモジュールを備えた、複数の無線周波数スマートカードデバイスを試験するためのシステムであって、
前記複数のスマートカードインストルメントチャンネルの各々が、前記複数の無線周波数スマートカードデバイスの１つを試験するように適合されており、前記複数のスマートカードインストルメントチャンネルの各々が、非同期であり、前記複数のスマートカードインストルメントチャンネルの他のものと独立している、
ことを特徴とするシステム。
【請求項２】
前記スマートカードモジュールに結合された混合信号ピンカード基板を更に備える、
ことを特徴とする請求項１に記載のシステム。
【請求項３】
前記混合信号ピンカード基板に結合されたアナログキャプチャインストルメントモジュールを更に備える、
ことを特徴とする請求項２に記載のシステム。
【請求項４】
前記複数のスマートカードインストルメントチャンネルを前記複数のスマートカードデバイスに結合するためのリレーマトリクスを更に備える、
ことを特徴とする請求項１に記載のシステム。
【請求項５】
前記スマートカードモジュールが、前記複数のスマートカードインストルメントチャンネルを前記複数のスマートカードデバイスに結合するための共通システムリソースのセットを含む、
ことを特徴とする請求項４に記載のシステム。
【請求項６】
前記複数のスマートカードインストルメントチャンネルの各々が送信機及び受信機を備える、
ことを特徴とする請求項５に記載のシステム。
【請求項７】
前記送信機が、送信データメモリ、符号器、及び変調器を含む、
ことを特徴とする請求項６に記載のシステム。
【請求項８】
前記受信機が、復号器、制御ロジック、及び受信データメモリを含む、
ことを特徴とする請求項６に記載のシステム。
【請求項９】
前記複数のスマートカードインストルメントチャンネルの各々が、前記送信機及び前記受信機を管理するように構成されたプログラム可能な状態マシンを含む、
ことを特徴とする請求項６に記載のシステム。
【請求項１０】
前記変調器が、少なくとも２データビットを有する試験信号と共に使用するために符号器に結合され且つ２データビット間の遷移に各々が相当する複数のパレット波形を格納するように構成されたパレットメモリを含む、
ことを特徴とする請求項７に記載のシステム。
【請求項１１】
前記パレットメモリは、デジタルアナログ変換器に結合されている、
ことを特徴とする請求項１０に記載のシステム。
【手続補正書】
【提出日】平成21年3月18日(2009.3.18)
【手続補正１】
【補正対象書類名】特許請求の範囲
【補正対象項目名】請求項１
【補正方法】変更
【補正の内容】
【請求項１】
ポッドキャストに加入する方法であって：
前記ポッドキャストを記憶するホストデバイスと通信するクライアントデバイスにて、
前記ポッドキャストへの加入を容易にするために使用される携帯加入ファイルを受信する工程と、
前記携帯加入ファイルを開くという決定をユーザから受信する工程と、
ポッドキャスト情報を得るために前記携帯加入ファイルにアクセスする工程と、
メディア管理アプリケーションが実行していない場合はメディア管理アプリケーションを起動する工程と、
前記ポッドキャスト情報を使用して、前記メディア管理アプリケーションを介して前記ポッドキャストに加入する工程と
を備えることを特徴とする方法。
【手続補正２】
【補正対象書類名】特許請求の範囲
【補正対象項目名】請求項９
【補正方法】変更
【補正の内容】
【請求項９】
ポッドキャストに加入するためのコンピュータプログラムコードでエンコードされたコンピュータ可読媒体であって：
前記ポッドキャストへの加入を容易にするために使用される携帯加入ファイルのユーザ選択を受信するためのコンピュータプログラムコードと；
前記ユーザ選択に応答してメディア管理アプリケーションを起動するためのコンピュータプログラムコードと；
ポッドキャスト情報を得るために前記携帯加入ファイルを解析するためのコンピュータプログラムコードと；
前記ポッドキャスト情報を使用し、前記メディア管理アプリケーションを介して前記ポッドキャストに加入するためのコンピュータプログラムコードとを備え、
前記コンピュータ可読記憶媒体はクライアントデバイス上に記憶され、前記ポッドキャストは前記クライアントデバイスと通信するホストデバイスに記憶されることを特徴とするコンピュータ可読媒体。
【手続補正３】
【補正対象書類名】特許請求の範囲
【補正対象項目名】請求項１０
【補正方法】変更
【補正の内容】
【請求項１０】
携帯加入ファイルであって：
前記携帯加入ファイルを使用するアプリケーションを識別するアプリケーション識別子と；
ポッドキャストフィードに対するネットワークアドレスとを含み、
前記携帯加入ファイルは、ホストデバイスとの連動無しに、第１クライアントデバイスから少なくとも第２クライアントデバイスに、データネットワークを介して加入情報を通過させるために用いられることで、前記第２クライアントデバイスは、前記ポッドキャストフィードに関するポッドキャストへの加入が許可されることを特徴とする携帯加入ファイル。
【手続補正書】
【提出日】平成21年2月23日(2009.2.23)
【手続補正１】
【補正対象書類名】特許請求の範囲
【補正対象項目名】全文
【補正方法】変更
【補正の内容】
【特許請求の範囲】
【請求項１】
スペックルノイズを低減した画像を投影するための装置であって、
前面および背面を有する表示スクリーンならびにレンズレットのアレイと、
レーザビームを該スクリーンの該背面に方向づけ、該ビームを該スクリーンの該背面の端から端まで走査線のパターンとして掃引し、選択されたピクセルを照明して可視化し、画像を作成するための画像投影アセンブリであって、各走査線は走査方向に沿って延び、多くのピクセルを有し、該レーザビームは、該走査方向に沿ったビーム寸法を有する画像投影アセンブリと、
該走査方向に沿って測定されるレンズレット寸法を有する各レンズレットであって、該レンズレット寸法は、該ビーム寸法以上である、各レンズレットと
を含む、装置。
【請求項２】
前記アセンブリは、前記レーザビームを発射するためのレーザを含む、請求項１に記載の装置。
【請求項３】
前記レーザは、赤色レーザ、青色レーザおよび緑色レーザの中の１つである、請求項２に記載の装置。
【請求項４】
前記レンズレット寸法が前記ビーム寸法より大きい、請求項１に記載の装置。
【請求項５】
前記レンズレットが前記走査方向に沿って連続して配列され、レンズレット１つおきの偏光回転コーティングを含む、請求項１に記載の装置。
【請求項６】
各レンズレットが球面曲率を有する、請求項４に記載の装置。
【請求項７】
前記レンズレットのアレイの画面における開口部を備えたマスクを含む、請求項１に記載の装置。
【請求項８】
前記マスクは、該マスクに入射する前記レーザビームを吸収する、請求項７に記載の装置。
【手続補正書】
【提出日】平成21年2月20日(2009.2.20)
【手続補正１】
【補正対象書類名】特許請求の範囲
【補正対象項目名】全文
【補正方法】変更
【補正の内容】
【特許請求の範囲】
【請求項１】
画像を投影するための画像投影装置であって、
該画像投影装置は、
互いに直交する走査方向に沿って主レーザビームを掃引して、走査線のパターンを投影するためのスキャナであって、該走査線の各々は、複数の画素を有する、スキャナと、
該スキャナに作用可能に接続された制御装置であって、選択された画素を照射させ、可視化させて、該画像を生成させる制御装置と、
一対のレーザと、偏光ビームコンバイナとを含む光学アセンブリと
を備え、該一対のレーザは、複数の成分レーザビームを生成し、該複数の成分レーザビームは、それぞれの出力電力および互いに直交する偏光を有し、該成分レーザビームの対は、同一の波長を有し、該偏光ビームコンバイナは、該成分レーザビームを組み合わせて、該成分レーザビームの各出力電力よりも大きな出力電力を有する主レーザビームを形成し、光路に沿って該成分レーザビームのうちの１つの成分レーザビームを該コンバイナに透過させ、同一の光路に沿って該成分レーザビームのうちの他の成分レーザビームを該コンバイナから反射させることによって、該照射される画素の輝度を上げる、画像投影装置。
【請求項２】
前記光学アセンブリがサポート上に設けられる、請求項１に記載の画像投影装置。
【請求項３】
前記レーザのうちの少なくとも１つのレーザが、該少なくとも１つのレーザの前記成分レーザビームの偏光が他のレーザの前記成分レーザビームの偏光と直交するまで回転させるために、前記サポート上に設けられる、請求項２に記載の画像投影装置。
【請求項４】
前記光学アセンブリは、前記成分レーザビームのうちの１つの成分レーザビームの偏光を前記成分レーザビームの他の成分レーザビームの偏光と直交するように変化させるための半波長板を含む、請求項２に記載の画像投影装置。
【請求項５】
前記光学アセンブリは、前記主レーザビームを光学的に修正するためのビーム形成光学素子を含む、請求項２に記載の画像投影装置。
【請求項６】
前記光学アセンブリは、前記成分レーザビームの各々を光学的に修正するためのビーム形成光学素子を含む、請求項２に記載の画像投影装置。
【請求項７】
前記一対のレーザの前記成分レーザビームは、赤色を有し、前記光学アセンブリは、別の一対のレーザと、別のコンバイナとを含み、該別の一対のレーザは、別の一対の成分レーザビームを発し、該別の一対の成分レーザビームは、同一波長を有し、青色を有し、該別のコンバイナは、該青色の成分レーザビームを組み合わせ、該光学アセンブリは、さらに別の一対のレーザと、さらに別のコンバイナとを含み、該さらに別の一対のレーザは、さらに別の一対の成分レーザビームを発し、該さらに別の一対の成分レーザビームは、同一波長を有し、緑色を有し、該さらに別のコンバイナは、該緑色の成分レーザビームを組み合わせる、請求項２に記載の画像投影装置。
【請求項８】
前記スキャナは、第１の走査速度および第１の走査角で前記走査方向のうちの１つの走査方向に沿って前記主レーザビームを掃引するための第１の揺動可能な走査鏡と、第２の走査速度および第２の走査角で該１つの走査方向に対して実質的に垂直な横の走査方向に沿って該主レーザビームを掃引するための第２の揺動可能な走査鏡とを含み、該第２の走査速度は、該第１の走査速度と異なり、該第２の走査角は、該第１の走査角と異なる、請求項１に記載の画像投影装置。
【請求項９】
前記走査鏡のうちの少なくとも１つの走査鏡は、該少なくとも１つの走査鏡の機械的共振周波数で揺動し、消費電力を最小化する、請求項８に記載の画像投影装置。
【請求項１０】
前記制御装置は、前記選択された画素を照射するように前記レーザを励起し、該選択された画素以外の画素を照射しないように該レーザを停止するための手段を含む、請求項２に記載の画像投影装置。
【請求項１１】
前記光学アセンブリは、前記一対の赤色の成分レーザビーム、前記一対の青色の成分レーザビーム、および前記一対の緑色の成分レーザビームをそろえて前記主レーザビームを形成するための光学要素であって、該主レーザビームの該赤色の成分レーザビームの偏光、該青色の成分レーザビームの偏光、および該緑色の成分レーザビームの偏光が同一である、光学要素と、該主レーザビームが掃引されて前記照射された画素のコントラストが上がる偏光スクリーンとを含む、請求項７に記載の画像投影装置。
【請求項１２】
前記光学要素のうちの１つの光学要素は、前記一対の緑色の成分レーザビームの偏光を変化させて、前記一対の赤色の成分レーザビーム偏光および前記一対の青色の成分レーザビームの偏光を一致させるための半波長板を含む、請求項１１に記載の画像投影装置。
【手続補正書】
【提出日】平成21年4月27日(2009.4.27)
【手続補正１】
【補正対象書類名】特許請求の範囲
【補正対象項目名】全文
【補正方法】変更
【補正の内容】
【特許請求の範囲】
【請求項１】
第１色のＬＥＤと、
第２色のＬＥＤと、
第３色のＬＥＤと、
前記第１、前記第２、及び前記第３色のＬＥＤに操作可能なように接続された制御回路であって、
カラーバランスを達成する既知の関係を持つ相対的なデューティサイクルを有するカラーサイクルフレームにおいて、前記第１色のＬＥＤ、前記第２色のＬＥＤ及び前記第３色のＬＥＤを順次駆動し、そして
前記カラーサイクルフレームの少なくとも一つのスポーク時間の間に、前記第１色のＬＥＤ、前記第２色のＬＥＤ及び前記第３色のＬＥＤを駆動し、順次駆動の間に前記第１色のＬＥＤ、前記第２色のＬＥＤ及び前記第３色のＬＥＤの相対的なデューティサイクルによって達成される前記カラーバランスにマッチする輝度調整光を出力するように制御する形で、前記少なくとも一つのスポーク時間の間に前記第１色のＬＥＤ、前記第２色のＬＥＤ及び前記第３色のＬＥＤを駆動するように操作可能な制御回路と、
を備えた発光ダイオード（ＬＥＤ）照明システム。
【請求項２】
前記制御回路が、少なくとも一つのスポーク時間の間に、前記ＬＥＤを駆動する信号のパルス幅変調によって、前記第１色のＬＥＤ、前記第２色のＬＥＤ及び前記第３色のＬＥＤの駆動を制御する請求項１に記載のＬＥＤ照明システム。
【請求項３】
前記制御回路が、少なくとも一つのスポーク時間の間に、前記ＬＥＤを駆動する信号の振幅変調によって、前記第１色のＬＥＤ、前記第２色のＬＥＤ及び前記第３色のＬＥＤの駆動を制御する請求項１に記載のＬＥＤ照明システム。
【請求項４】
前記第１、前記第２及び前記第３色のＬＥＤが、赤、緑、及び青である請求項１に記載のＬＥＤ照明システム。